(57)【特許請求の範囲】
【請求項１】
集塵フィルタの下流側に設けられた脱臭フィルタと、この脱臭フィルタの下流側に設けられたファンと、前記集塵フィルタと前記ファンとの間に設けられた加湿フィルタと、前記脱臭フィルタと前記ファンとの間に設けられたシャッターとを備えた空気清浄機において、
前記シャッターは移動して前記脱臭フィルタを閉塞し、若しくは移動して前記加湿フィルタを閉塞する移動手段を備えていることを特徴とする空気清浄機。
【請求項２】
請求項１記載の空気清浄機において、
前記加湿フィルタは前記脱臭フィルタの直下で、かつ前記シャッターの移動方向と同一平面上に配置されていることを特徴とする空気清浄機。
【請求項３】
請求項１記載の空気清浄機において、
前記シャッターはワイヤーによって懸下されるとともに、
前記ワイヤーはモータによって回転する滑車によって巻き取られることを特徴とする空気清浄機。
【請求項４】
請求項３記載の空気清浄機において、
前記シャッターを二段構成とするとともに、
前記シャッターは前記脱臭フィルタ側を覆うように広げられ、前記加湿フィルタ側では二重に重ねられることを特徴とする空気清浄機。
【請求項５】
請求項１記載の空気清浄機において、
前記シャッターは前記脱臭フィルタから前記加湿フィルタに渡って設けられた複数の鎧戸によって構成され、この鎧戸はそれぞれ回転するとともに、
この鎧戸は前記脱臭フィルタ側の面と前記加湿フィルタ側の面とをそれぞれ回転して開閉することを特徴とする空気清浄機。
【請求項６】
請求項１記載の空気清浄機において、
前記脱臭フィルタと前記加湿フィルタとを水平方向に併設するとともに、
前記シャッターは前記脱臭フィルタと前記加湿フィルタの併設方向に沿って移動することを特徴とする空気清浄機。
【発明の詳細な説明】
【技術分野】
【０００１】
本発明は、空気清浄機に関する。
【背景技術】
【０００２】
空気清浄機は、特許文献１に開示されているように、集塵フィルタと脱臭フィルタとがセットになったフィルタユニットが筐体内に収納され、これらのフィルタにファンで空気を送るようになっている。このフィルタユニットを通過した空気は塵埃が捕集され、さらに脱臭されてクリーンな空気として室内に送風されるものである。
【０００３】
また空気清浄機内には加湿フィルタが備えられている。この加湿フィルタは水分を吸収しており、空気がこの加湿フィルタを通過することにより水分が気化して加湿されるものである。
【０００４】
この空気清浄機にはシャッターが取り付けられており、このシャッターの開閉によりフィルタユニットを通過する空気の量の増減を図り、空気清浄重視モードか加湿重視モードかの切換えが行なえるようになっている。
【０００５】
また特許文献２は加湿機能と除湿機能を備えた空気清浄機が開示されている。
【先行技術文献】
【特許文献】
【０００６】
【特許文献１】特開２００９−６８８１０号公報
【特許文献１】特開２０１０−３８４１１号公報
【発明の概要】
【発明が解決しようとする課題】
【０００７】
さて、近年空気清浄機に対し、空気中の細かい塵埃の捕集を充実させたい、乾いた空気を抑制するための加湿機能をもっと充実させたい、部屋の匂いを低減させる脱臭機能をもっと充実させたいなどの要求が高い。
【０００８】
この要求に対し上記従来技術にあっては、要求を満足できるものではなかった。つまり、特許文献１ではシャッターを「開」にするとフィルタユニットを通過する空気の量が増えるため、急速空気清浄が可能である。シャッターを「閉」にすると加湿フィルタを通過する空気の量が増えるため、急速加湿が可能である。
【０００９】
ところが、特許文献１の場合、空気清浄機の筐体内に取り込まれる空気は、集塵フィルタ、脱臭フィルタ、加湿フィルタの順に通過するため空気の通気抵抗が非常に高くなり、加湿性能を向上させることが難しかった。
【００１０】
本発明の目的は、加湿性能を現状よりも向上させながらも集塵と脱臭機能を満足する空気清浄機を提供することにある。
【課題を解決するための手段】
【００１１】
上記目的は、本発明によれば、集塵フィルタの下流側に設けられた脱臭フィルタと、この脱臭フィルタの下流側に設けられたファンと、前記集塵フィルタと前記ファンとの間に設けられた加湿フィルタと、前記脱臭フィルタと前記ファンとの間に設けられたシャッターとを備えた空気清浄機において、前記シャッターは移動して前記脱臭フィルタを閉塞し、若しくは移動して前記加湿フィルタを閉塞する移動手段を備えていることにより達成される。
【００１２】
また上記目的は、本発明によれば、前記加湿フィルタは前記脱臭フィルタの直下で、かつ前記シャッターの移動方向と同一平面上に配置されていることが好ましい。
【００１３】
また上記目的は、本発明によれば、前記シャッターはワイヤーによって懸下されるとともに、前記ワイヤーはモータによって回転する滑車によって巻き取られることが好ましい。
【００１４】
また上記目的は、本発明によれば、前記シャッターを二段構成とするとともに、前記シャッターは前記脱臭フィルタ側を覆うように広げられ、前記加湿フィルタ側では二重に重ねられることが好ましい。
【００１５】
また上記目的は、本発明によれば、前記シャッターは前記脱臭フィルタから前記加湿フィルタに渡って設けられた複数の鎧戸によって構成され、この鎧戸はそれぞれ回転するとともに、この鎧戸は前記脱臭フィルタ側の面と前記加湿フィルタ側の面とをそれぞれ回転して開閉することが好ましい。
【００１６】
また上記目的は、本発明によれば、前記脱臭フィルタと前記加湿フィルタとを水平方向に併設するとともに、前記シャッターの移動方向は前記脱臭フィルタと前記加湿フィルタの併設方向に移動することが好ましい。
【発明の効果】
【００１７】
本発明によれば、加湿性能を現状よりも向上させながらも集塵と脱臭機能を満足する空気清浄機を提供できる。
【図面の簡単な説明】
【００１８】
【図１】本発明の実施形態に係わる空気清浄機の斜視図である。
【図２】本発明の実施形態に係わる空気清浄機の断面図である。
【図３】本発明の実施例を備えた空気清浄機の断面図である。
【図４】本発明の空気清浄機と従来の空気清浄機との比較図である。
【図５】本発明の実施例に基づくシャッターの概略構成図である。
【図６】他の実施例に係るシャッターの概略構成図である。
【図７】他の実施例に係るシャッターの概略構成図である。
【図８】他の実施例に係るシャッターの概略構成図である。
【図９】他の実施例に係るシャッターの概略構成図である。
【発明を実施するための形態】
【００１９】
以下、本発明の実施例について図面を用いて説明する。
【実施例１】
【００２０】
まず、本発明の実施例に係わる空気清浄機の概要について図１と図２を使って説明する。  
図１において、空気清浄機の空気清浄機本体１は主部枠体２と前部枠体３とから構成されている。空気清浄機本体１の前面には、前面パネル４が取り付けられ、この前面パネル４の周囲には周囲吸気口１１が設けられている。主部枠体２と前部枠体３とは突合せ接合部１６で接合され、空気清浄機の外郭を形成している。主部枠体２の上面には送風口１２が位置し、この送風口１２から清浄化されたクリーンな空気が室内に送風される。また主部枠体２の片側には給水タンク１３が着脱自在に取り付けられている。
【００２１】
図２において、前面パネル４の内壁面と対向する空気清浄機本体１の内部にはフィルタユニット５、加湿フィルタ６、送風装置７が備えられている。フィルタユニット５は、前部枠体３側に位置し、加湿フィルタ６は、送風装置７の下方に位置している。送風装置７は、主部枠体２側に位置し、送風機７ａとターボファン７ｂとで構成されている。
【００２２】
主部枠体２は、内部にファンケーシング８を有し、このファンケーシング８内に送風機７ａが取り付けられている。ターボファン７ｂに吸い込み流を導く吸い込み板９は、ファンケーシング８と共にターボファン７ｂを囲んで形成される。
【００２３】
主部枠体２には、フィルタユニット５が前部枠体３の前側の空間に収まるように設置されている。その奥側空間の上部には、開口隙間を備えたシャッター板２１と、開口隙間を開閉して流路の開閉可能にするためのシャッター２２を備えている。このシャッター２２の下部には加湿フィルタ６が設置された加湿流路が形成されている。
【００２４】
シャッター２２にはガイドピン（図示せず）が設けられて上下方向に摺動が可能に、前部枠体３に取り付けられる。また、シャッター２２の上部には横長の長円状の切欠き穴部（図示せず）が設けられている。
【００２５】
送風機７の上部には、シャッター２２を動作させるための長円状の切欠き穴部（図示せず）に対応するカム板（図示せず）を備えたシャッター動作用の電動機２６が取り付けられている。この電動機２６は、前面を出力軸用の穴を備えたカバー（図示せず）と背面を吸い込み板９で囲み塵埃から保護されている。
【００２６】
制御装置１０は、空気清浄機本体１の前側上部に備えられており、この制御装置１０によって空気清浄機の運転が制御され、表示装置（図示せず）に運転状況が表示されるようになっている。
【００２７】
空気は、前面パネル４の周囲吸気口１１から吸い込まれ、フィルタユニット５内を流通することによって塵埃の除去が行われとともに、空気中に含まれる臭いやホルムアルデヒド等の成分物質が除去されて送風口１２から排出される。
【００２８】
加湿フィルタ６は、塵埃や臭いやホルムアルデヒド等の成分物質が除去された空気に水分を加湿することになる。そして、送風機７に吸い込まれた空気は、送風口１２からクリーンな空気となって空気清浄機の外部に送風される。
【００２９】
図１に示したカートリッジ給水タンク１３は、加湿フィルタ６に水分を浸み込ませる貯溜水タンク１４に水を補充するためのものである。このカートリッジ給水タンク１３は、空気清浄機本体１の側面方向に取り外し自在となっている。
【００３０】
図示されていないが、カートリッジ給水タンク１３の底部に設けたキャップは、水の出口を塞ぐ弁体を有する。カートリッジ給水タンク１３を空気清浄機本体１から外すと、弁体は出口を塞ぎ、貯溜水タンク１４に装着すると、弁体は出口を開くようになっている。
【００３１】
ところで、図１と図２に示した空気清浄機本体１に取り付けられたシャッターは定位置の状態で、開口を開閉する構造となっている。つまり、シャッターの開口を「開」にすると空気はフィルタユニットと加湿フィルタの両方に流れる空気清浄重視モードとなり、「閉」にすると空気は主に加湿フィルタ方向に流れる加湿重視モードとなる。
【００３２】
しかしながら加湿重視モードとは言え、空気はフィルタユニットを通過した後に加湿フィルタを通過してから加湿フィルタを通るため通気抵抗が大きく、加湿能力の向上には不向きであった。
【００３３】
そこで、本発明の発明者らは空気が加湿フィルタを中心に通過する構造を種々検討した結果、以下のごとき実施例を得た。
【００３４】
図３は本発明の実施例を備えた空気清浄機の断面図である。（なお、図２と同じ番号は同一物であるため、その説明は省略する）  
図３において、図２ではフィルタユニット５として説明したが、図３では集塵フィルタ５ａと脱臭フィルタ５ｂが並列に設置されている。加湿フィルタ６は脱臭フィルタ５ｂの直下で、かつ上下移動するシャッターの移動方向と同一平面上（脱臭フィルタの軸と同軸上）に取り付けられている。
【００３５】
図２で説明したシャッター２２は定位置で開口を開閉する構造となっていたが、本実施例のシャッター２２は上下動し、脱臭フィルタ５ｂを閉塞したり、加湿フィルタ６を閉塞したりする構造（詳細は後述する）となっている。
【００３６】
図４を使って従来のシャッターの動作と本発明のシャッターの動作を比較して説明する。  
図４において、従来の空気清浄機本体１では、シャッター２２の開口を閉塞して加湿モード運転を行うと、矢印で示すように空気は集塵フィルタ５ａと脱臭フィルタ５ｂを通過した後に加湿フィルタ６を通過する。なお、図４で分かるように、シャッター２２は脱臭フィルタ５ｂの前方の定位置で開口を開閉するだけであるため、開閉に係わらず空気は常に加湿フィルタ６を通過することになる。
【００３７】
これに対して本発明では、空清・脱臭モードではシャッター２２が下方に移動して加湿フィルタ６を閉塞するので、空気は矢印のように脱臭フィルタ５ｂを中心に流れ、高い脱臭効果を得ることができる。一方、加湿モードではシャッター２２は上昇して脱臭フィルタ５ｂを閉塞するので、空気は矢印のように加湿フィルタ６を中心に流れる。したがって、高い加湿効果を得ることができる。
【実施例２】
【００３８】
図５、図６を用いて実施例２について説明する。  
図５は実施例２の概略構成図である。  
図６はシャッターを動作手段として概略を説明する図である。
【００３９】
図５において、シャッター２２はシャッター枠２２ａの内側に支持されている。このシャッター２２はシャッター枠２２ａの縦枠の内面に取り付けられたレール（図示せず）に沿って上下に移動するようになっている。図５では脱臭フィルタ５ｂを閉塞する位置に移動した状態を示しているため、空気は矢印のように加湿フィルタ６方向に流れる。
【００４０】
シャッター２２の具体的な移動手段を図６で説明する。  
図６において、シャッター２２はワイヤー２２ｄで吊されている。このワイヤー２２ｄは滑車２２ｃで巻き取られるようになっている。この滑車２２ｃはギア２２ｅを介してモータ２２ｂと連結されているため、モータ２２ｂの正逆回転によって滑車２２ｃは上下に移動する。
【００４１】
なお、図６ではシャッター２２が加湿フィルタ６を閉塞する位置で停止しているため、空清・脱臭モード状態を示している。
【００４２】
このように、本実施例によれば簡単な構造で正確にシャッター２２を上下移動させることができる。
【実施例３】
【００４３】
図７は実施例３の概略構成図である。  
図７に示した実施例では、２分割されたシャッター２２で脱臭フィルタ５ｂを閉塞した状態を示している。加湿フィルタ６を閉塞する場合は、点線で示すように２分割されたシャッター２２を重ねた状態で下方に移動させて加湿フィルタを閉塞したものである。
【００４４】
なお、本実施例では２分割のシャッター２２としたが、必ずしも２分割である必要はなく、筐体内に収納可能な範囲であれば分割数を増やしても構わない。
【００４５】
このように、本実施例によれば簡単な構造で空清・脱臭モードと加湿モードの切換えが可能である。
【実施例４】
【００４６】
図８は実施例４の概略構成図である。  
図８に示した実施例では、脱臭フィルタ５ｂから加湿フィルタ６に渡って、回転可能な複数の鎧戸にて構成したものである。  
図８では加湿フィルタ６側の鎧戸を水平方向に傾け、脱臭フィルタ５ｂ側の鎧戸を垂直状態にすることによって加湿モードとしたものである。勿論、この鎧戸を点線で示したように、脱臭フィルタ５ｂ側の鎧戸を水平にし、加湿フィルタ６側を垂直状態にすると空清・脱臭モードにすることも可能である。
【００４７】
このように、本実施例によれば簡単な構造で空清・脱臭モードと加湿モードの切換えが可能である。
【実施例５】
【００４８】
図９は実施例５の概略構成図である。  
図９において、ここまでの実施例では脱臭フィルタ５ｂと加湿フィルタ６が上下の位置関係になった構成を前提として述べてきたが、本実施例では脱臭フィルタ５ｂと加湿フィルタ６とが横方向に並んだ構成としたものである。
【００４９】
本実施例では、図５と同じようにシャッター２２はシャッター枠２２ａ内に収納され、シャッター２２は枠内を左右方向に移動するようになっている。図９では脱臭フィルタ５ｂをシャッター２２で閉塞しているので、空気は矢印で示すように加湿フィルタ６側を流れる加湿モードとなっている。
【００５０】
以上のごとく、本発明によれば、脱臭フィルタと加湿フィルタを本体床面から垂直方向へ同軸上に配置しシャッター機能で流路を切替できることから、脱臭に特化する運転と加湿に特化した運転が可能となる。また、通気抵抗が低減でき、従来よりも加湿能力を向上することができる。また、脱臭フィルタはユニット部材として本体に着脱可能とし、前記脱臭フィルタのユニット部材は複数のピース部品で構成され種類の異なる脱臭材を挿入することを可能としたことにより、脱臭機能の有無構成が可能となり、シリーズ化が図れる。
【００５１】
さらには、脱臭機能とは別な機能としてにおいを逆に放出する素材を装着したり、細かい塵埃以外を捕集・抑制したりするフィルタなどを設ければ、用途に応じ本体の機能のバリエーションを増すことができるなどの効果を有する空気清浄機を提供できる。
【００５２】
また、脱臭フィルタと加湿フィルタを本体床面から垂直方向へ同軸上に配置しシャッター機能で流路を切替できることから脱臭に特化する運転と加湿に特化した運転が可能となる。また、通気抵抗が低減でき、従来よりも加湿能力を向上することができる。
【００５３】
また、脱臭フィルタはユニット部材として本体に着脱可能とし、前記脱臭フィルタのユニット部材は複数のピース部品で構成され種類の異なる脱臭材を挿入することを可能としたことにより、脱臭機能の有無構成が可能となり、シリーズ化が図れる。
【００５４】
さらには、脱臭機能とは別な機能としてにおいを逆に放出する素材を装着したり、細かいほこり以外を捕集・抑制したりするフィルタなどを設ければ、用途に応じ本体の機能のバリエーションを増すことができるなどの効果を有する空気清浄機を提供できる。
【符号の説明】
【００５５】
１…空気清浄機本体、２…主部枠体、３…前部枠体、４…前面パネル４、５…フィルタユニット、５ａ…集塵フィルタ、５ｂ…脱臭フィルタ、６…加湿フィルタ、７…送風装置、７ａ…送風機、７ｂ…ターボファン、８…ファンケーシング、１０…制御装置、１１…周囲吸気口、１２…送風口、１３…カートリッジ給水タンク、１４…貯溜水タンク、１６…突合せ接合部、２２…シャッター、２２ａ…シャッター枠、２２ｂ…モータ、２２ｃ…滑車、２２ｄ…ワイヤー、２６…電動機。
【図１】
0005520901.tif 000002
【図２】
0005520901.tif 000003
【図３】
0005520901.tif 000004
【図４】
0005520901.tif 000005
【図５】
0005520901.tif 000006
【図６】
0005520901.tif 000007
【図７】
0005520901.tif 000008
【図８】
0005520901.tif 000009
【図９】
0005520901.tif 000010